(57)【要約】      （修正有）【課題】対象プーリの形状等などが異なっても、対象プーリの対象周面にベルトを適切な状態で接触させることができるベルト掛着具を提供する。【解決手段】対象周面上に配置される、第１ベルト保持部材２０及び第２ベルト保持部材３０と、柔軟性を有する長板状の材料で構成され、その長手方向の両端部に、第１ベルト保持部材と第２ベルト保持部材がそれぞれ固定され連結部材４０と、を備え、第１ベルト保持部材及び第２ベルト保持部材は、それぞれ、ベルトに対して面接触することでベルトを保持する保持面２１、３２を備え、ベルト掛着具１０を対象周面に取り付けたときに、対象周面の幅方向において、第１ベルト保持部材と第２ベルト保持部材のそれぞれの保持面は対象周面に対応する位置に配置され、連結部材の少なくとも一部は対象周面からずれた位置に配置されるように構成されている。【選択図】図１
0003230381.tif 000002
【実用新案登録請求の範囲】
【請求項１】
周長方向に伸縮可能なベルトを、対象プーリに緊張状態で巻き掛ける際に、前記対象プーリの対象周面に取り付けて使用されるベルト掛着具であって、
前記対象周面上に配置される、第１ベルト保持部材及び第２ベルト保持部材と、
柔軟性を有する長板状の材料で構成され、その長手方向の両端部に、前記第１ベルト保持部材と前記第２ベルト保持部材がそれぞれ固定される連結部材と、を備え、
前記第１ベルト保持部材及び前記第２ベルト保持部材は、それぞれ、前記ベルトに対して面接触することで前記ベルトを保持する保持面を備え、
前記ベルト掛着具を前記対象周面に配置したときに、前記対象周面の幅方向において、前記第１ベルト保持部材と前記第２ベルト保持部材のそれぞれの前記保持面は前記対象周面に対応する位置に配置されることを特徴とするベルト掛着具。
【請求項２】
前記連結部材は、前記対象周面に沿った曲率に変形させると、その形状を維持可能な柔軟性を有する請求項１に記載のベルト掛着具。
【請求項３】
前記ベルト掛着具を前記対象周面に配置したときに、前記対象周面の幅方向において、前記連結部材の少なくとも一部は前記対象周面からずれた位置に配置されるように構成されている請求項１又は請求項２に記載のベルト掛着具。
【請求項４】
前記ベルト掛着具を前記対象周面に取り付けたときに、前記対象周面の幅方向において、前記連結部材は前記対象周面から外れた位置に配置されるように構成されている請求項１又は請求項２に記載のベルト掛着具。
【請求項５】
前記第１ベルト保持部材と前記第２ベルト保持部材のそれぞれの保持面は、一方が前記ベルトの表面と面接触し、他方が前記ベルトの裏面と面接触する請求項１又は請求項２に記載のベルト掛着具。
【請求項６】
前記第１ベルト保持部材と前記第２ベルト保持部材は、それぞれ上部に前記連結部材が固定され、
前記第１ベルト保持部材及び前記第２ベルト保持部材は、それぞれ、前記対象周面の幅方向において前記対象周面から外れた位置から下方に延びる腕部を備える請求項１又は請求項２に記載のベルト掛着具。
【請求項７】
前記第１ベルト保持部材及び前記第２ベルト保持部材のそれぞれの腕部の少なくとも一方は、前記対象プーリの側面に対向する対向面を有し、前記連結部材の幅方向に沿って、かつ、前記対向面に垂直にボルトを挿通可能なボルト挿通孔を備える請求項６に記載のベルト掛着具。
【請求項８】
前記第１ベルト保持部材及び前記第２ベルト保持部材のうち、前記ベルトの裏面と面接触する方において、前記連結部材の連結箇所と前記保持面との間に、前記ベルトの位置を規制する段差部が設けられている請求項５に記載のベルト掛着具。
【請求項９】
前記第１ベルト保持部材及び前記第２ベルト保持部材は、それぞれ、前記対象周面の幅方向において前記対象周面から外れた位置から下方に延びる腕部を備え、
前記第１ベルト保持部材及び前記第２ベルト保持部材のうち、前記ベルトの表面と面接触する方において、前記ベルトは前記腕部に当接することによって、その位置が規制される請求項５に記載のベルト掛着具。
【考案の詳細な説明】
【技術分野】
【０００１】
本考案は、複数のプーリ間にベルトを緊張状態で巻き掛ける際にベルトに取り付けて用いられるベルト掛着具に関する。
【背景技術】
【０００２】
複数のプーリに掛着されたベルトを通じて動力を伝達するベルト伝動機構では、プーリに対するベルトの掛着工程において、一つのプーリに巻き掛けたベルトを、ベルト掛着具を用いて、対象となるプーリの外周面（対象周面）に巻き掛けることが行われている。このようなベルト掛着具としては、特許文献１や特許文献２に記載のベルト取付治具が提案されており、このようなベルト取付治具を用いてベルトを巻き掛けることによって作業負担の軽減を図ることができるとされている。
【先行技術文献】
【特許文献】
【０００３】
【特許文献１】特開２０１１−２０８７５３号公報
【特許文献２】特開２０２０−１１５０２２号公報
【考案の概要】
【考案が解決しようとする課題】
【０００４】
しかしながら、特許文献１や特許文献２に記載のベルト取付治具は、対象となるプーリの特定の箇所の形状に合わせた構成を有するものであるため、プーリの形状、種類、取付箇所などが変わると、外周面に対して密接に接触させることが困難となり、取り付け作業の効率が低下し、又は、プーリ及びベルトに損傷が生じてしまうといった問題が発生するおそれがあった。このような問題を避けるためには、対象プーリごとにベルト取付治具を用意しなければならず、コストが大きくなってしまうことが懸念されていた。
【０００５】
そこで本考案は、簡単な構成でありながら、対象プーリの形状、種類、取付箇所などが異なっても、ベルトを対象プーリの対象周面に適切な状態で接触させることができ、これによって、対象プーリやベルトを損傷させることなく、効率良くベルトを巻き掛けることができるベルト掛着具を提供することを目的としている。
【課題を解決するための手段】
【０００６】
上記課題を解決するために、本考案のベルト掛着具は、周長方向に伸縮可能なベルトを、対象プーリに緊張状態で巻き掛ける際に、対象プーリの対象周面に取り付けて使用されるベルト掛着具であって、対象周面上に配置される、第１ベルト保持部材及び第２ベルト保持部材と、柔軟性を有する長板状の材料で構成され、その長手方向の両端部に、第１ベルト保持部材と第２ベルト保持部材がそれぞれ固定される連結部材と、を備え、第１ベルト保持部材及び第２ベルト保持部材は、それぞれ、ベルトに対して面接触することでベルトを保持する保持面を備え、ベルト掛着具を対象周面に配置したときに、対象周面の幅方向において、第１ベルト保持部材と第２ベルト保持部材のそれぞれの保持面は対象周面に対応する位置に配置され、連結部材の少なくとも一部は対象周面からずれた位置に配置されるように構成されていることを特徴としている。
【０００７】
本考案のベルト掛着具において、連結部材は、対象周面に沿った曲率に変形させると、その形状を維持可能な柔軟性を有することが好ましい。
【０００８】
本考案のベルト掛着具において、ベルト掛着具を対象周面に配置したときに、対象周面の幅方向において、連結部材の少なくとも一部は対象周面からずれた位置に配置されるように構成されていることが好ましい。
【０００９】
本考案のベルト掛着具において、ベルト掛着具を対象周面に取り付けたときに、対象周面の幅方向において、連結部材は対象周面から外れた位置に配置されるように構成されていることが好ましい。
【００１０】
本考案のベルト掛着具において、第１ベルト保持部材と第２ベルト保持部材のそれぞれの保持面は、一方がベルトの表面と面接触し、他方がベルトの裏面と面接触することが好ましい。
【００１１】
本考案のベルト掛着具において、第１ベルト保持部材と第２ベルト保持部材は、それぞれ上部に連結部材が固定され、第１ベルト保持部材及び第２ベルト保持部材は、それぞれ、対象周面の幅方向において対象周面から外れた位置から下方に延びる腕部を備えることが好ましい。
【００１２】
本考案のベルト掛着具において、第１ベルト保持部材及び第２ベルト保持部材のそれぞれの腕部の少なくとも一方は、対象プーリの側面に対向する対向面を有し、連結部材の幅方向に沿って、かつ、対向面に垂直にボルトを挿通可能なボルト挿通孔を備えることが好ましい。
【００１３】
本考案のベルト掛着具において、第１ベルト保持部材及び第２ベルト保持部材のうち、ベルトの裏面と面接触する方において、連結部材の連結箇所と保持面との間に、ベルトの位置を規制する段差部が設けられていることが好ましい。
【００１４】
本考案のベルト掛着具において、第１ベルト保持部材及び第２ベルト保持部材は、それぞれ、対象周面の幅方向において対象周面から外れた位置から下方に延びる腕部を備え、第１ベルト保持部材及び第２ベルト保持部材のうち、ベルトの表面と面接触する方において、ベルトは腕部に当接することによって、その位置が規制されることが好ましい。
【考案の効果】
【００１５】
本考案によると、簡単な構成でありながら、対象プーリの形状、種類、取付箇所などが異なっても、対象プーリの対象周面にベルトを適切な状態で接触させることができ、これによって、対象プーリやベルトを損傷させることなく、効率良くベルトを巻き掛けることができる。
【図面の簡単な説明】
【００１６】
【図１】本考案の実施形態に係るベルト掛着具の構成を示す図であって、（ａ）は斜視図、（ｂ）は底面図である。
【図２】本考案の実施形態に係るベルト掛着具の構成を示す図であって、（ａ）は一方の側面から見た図、（ｂ）は他方の側面から見た図である。
【図３】上記実施形態に係るベルト掛着具を用いてベルトを巻き掛ける対象プーリの構成を示す斜視図である。
【図４】（ａ）は連結部材を対象プーリの対象周面に沿った曲率に変形させる前の状態を示す側面図、（ｂ）は連結部材を対象プーリの対象周面に沿った曲率に変形させた後の状態を示す側面図である。
【図５】（ａ）はベルト掛着具とベルトが離間した状態を示す斜視図、（ｂ）はベルト掛着具がベルトを保持した状態を示す斜視図である。
【図６】（ａ）はベルトを保持したベルト掛着具を対象プーリの対象周面上に配置した初期の状態を示す側面図、（ｂ）は（ａ）の状態からベルト掛着具が係止された対象プーリを時計回りに約４５度回転させた状態を示す側面図である。
【図７】（ａ）は図６（ｂ）の状態から対象プーリを時計回りに約４５度回転させた状態を示す側面図、（ｂ）は（ａ）の状態から対象プーリを時計回りに約９０度回転させた状態を示す側面図である。
【図８】（ａ）は図７（ｂ）の状態から対象プーリを時計回りに約２０度回転させた状態を示す側面図、（ｂ）は（ａ）の状態において、対象周面からベルト掛着具を離間した状態を示す側面図である。
【考案を実施するための形態】
【００１７】
以下、本考案の実施形態に係るベルト掛着具について図面を参照しつつ詳しく説明する。
図１は、本実施形態に係るベルト掛着具１０の構成を示す図であって、（ａ）は斜視図、（ｂ）は底面図である。図２は、ベルト掛着具１０の構成を示す図であって、（ａ）は一方の側面から見た図、（ｂ）は他方の側面から見た図である。図１（ｂ）においては、ボルト挿通孔３６の一つにボルト５０を挿通した状態を示している。
【００１８】
図１（ａ）、（ｂ）と図２（ａ）、（ｂ）に示すように、ベルト掛着具１０は、長板状の連結部材４０と、連結部材４０の両端部４１、４２にそれぞれ固定された、第１ベルト保持部材２０及び第２ベルト保持部材３０と、を備え、周長方向に伸縮可能なベルト７０を、対象プーリ６０に緊張状態で巻き掛ける際に、対象プーリ６０の対象周面６１上に取り付けて使用されるものである（図６〜図８参照）。
【００１９】
第１ベルト保持部材２０と第２ベルト保持部材３０は、対象プーリ６０へのベルト７０の掛着工程（巻き掛ける工程）において、連結部材４０が湾曲した状態でベルト７０を確実に保持することができる剛性を有する材料として、金属材、合金材、プラスチック材、又は、木材で構成される。金属材としては例えばアルミニウムが挙げられ、合金材としては例えば鉄鋼、鋼材（例えば、一般構造用圧延鋼材（ＳＳ材））、真鍮（黄銅）が挙げられる。プラスチック材としては、例えば、ＡＢＳ樹脂（アクリロニトリル・ブタジエン・スチレン共重合合成樹脂）、ポリカーボネート、塩化ビニル樹脂が挙げられ、さらに、これらの樹脂に補強材（例えばナイロン、ビニロン）を加えた強化プラスチックを用いることもできる。
【００２０】
第１ベルト保持部材２０は、ベルト７０の裏面７２（図５（ｂ）、図６（ａ）参照）と面接触する第１保持面２１を備える。ここで、ベルト７０の裏面７２は、図６〜図８に示すように対象プーリ６０に巻き掛けたときに、対象周面６１上に配置される面であり、表面７１は、裏面７２とは反対側の面であって、対象プーリ６０に巻き掛けたときに対象周面６１に接触しない外側の面である。
【００２１】
第１保持面２１は、ベルト７０を保持する際にベルト７０に損傷を与えなければ任意の面形状とすることができるが、例えば、平面、又は、対象周面６１として想定される曲率に対応した曲面に設定するとよい。
【００２２】
図１（ａ）に示すように、第１ベルト保持部材２０は、その幅方向Ｗ１において、上記第１保持面２１に連なるように設けられた固定部２３を備える。固定部２３の表面２３ａ（連結部材４０の連結箇所）には、連結部材４０の長手方向の一方の端部４１が、固定具としての２つのボルト４１ａによって固定される。固定部２３の表面２３ａ（上面）は、段差部２４を介して第１保持面２１に連なっている。
【００２３】
第１保持面２１は、上記幅方向Ｗ１において、ベルト７０と略同一の幅を有する。第１保持面２１上にベルト７０の裏面７２を面接触させて配置したとき、ベルト７０の幅方向の端面７３が２４に当接することにより、幅方向Ｗ１におけるベルト７０の位置が規制される。
【００２４】
第１ベルト保持部材２０は、固定部２３から下方に延びる第１腕部２５を備える。第１腕部２５は、上記幅方向Ｗ１において、固定部２３に対応する範囲において、固定部２３から離れる方向に延びている。
【００２５】
第１ベルト保持部材２０は、対象プーリ６０に対して、対象周面６１の幅方向Ｗ２（図３参照）において第１保持面２１が対象周面６１に対応するように配置され、かつ、固定部２３の少なくとも一部が、対象周面６１から外れるように配置される。この状態において、第１腕部２５は対象周面６１から外れた位置から下方に延びる。この構成によれば、第１ベルト保持部材２０の幅方向Ｗ１における端面２０ａ（第１保持面２１側の端面、図１（ｂ）参照）が対象プーリ６０に接触することによって、対象周面６１の幅方向Ｗ２における第１ベルト保持部材２０の位置が規定され、第１保持面２１が対象周面６１に対応するように配置される。
【００２６】
図１（ａ）に示すように、第２ベルト保持部材３０は、湾曲した板状部材の底部から第２腕部３５が下方に延びた構成を有する。第２ベルト保持部材３０の表面３１は、段差のない平坦な面であり、幅方向Ｗ１における端部（連結部材４０の連結箇所）には、連結部材４０の長手方向の端部４２（上記端部４１とは反対側の端部）が、固定具としての２つのボルト４２ａによって固定される。
【００２７】
図１（ｂ）に示すように、第２腕部３５は、第２ベルト保持部材３０の底部から下方に延びるように設けられている。第２ベルト保持部材３０の底面である、第２保持面３２は、上記幅方向Ｗ１において、ベルト７０と略同一の幅を有する。この幅は、第２腕部３５の表面３５ａによって規定される。第２保持面３２にベルト７０の表面７１を面接触配置させたとき、ベルト７０の幅方向の端面７３が第２腕部３５の表面３５ａに当接することにより、幅方向Ｗ１におけるベルト７０の位置が規制される。
【００２８】
第１ベルト保持部材２０と第２ベルト保持部材３０は、ベルト７０を保持する際にベルト７０がねじれることなく、第１ベルト保持部材２０の段差部２４と、第２ベルト保持部材３０の第２腕部３５の表面３５ａとにそれぞれ当接するように、連結部材４０によって互いに連結されている。
【００２９】
第２ベルト保持部材３０の表面３１及び第２保持面３２は、ベルト７０を保持する際にベルト７０に損傷を与えなければ任意の面形状とすることができ、例えば、平面、又は、対象周面６１として想定される曲率に対応した曲面に設定するとよい。
【００３０】
図１（ａ）に示すように、第２腕部３５は、上記幅方向Ｗ１において、連結部材４０が固定される位置に対応する位置に設けられている。第２ベルト保持部材３０は、表面３１において、連結部材４０が固定されていない範囲が、対象周面６１から外れるように配置される。
【００３１】
第２ベルト保持部材３０は、対象プーリ６０に対して、対象周面６１の幅方向Ｗ２（図３参照）において第２保持面３２が対象周面６１に対応するように配置され、かつ、第２腕部３５は対象周面６１から外れた位置から下方に延びる。このとき、第２腕部３５は、その表面３５ａが対象プーリ６０の側面に対向する。すなわち、表面３５ａは対象プーリ６０の側面６５ａに対向する対向面となる。この構成によれば、第２ベルト保持部材３０の幅方向Ｗ１における端面３０ａ（第２腕部３５から遠い側の端面）（図１（ｂ）参照）が対象プーリ６０に接触することによって、対象周面６１の幅方向Ｗ２における第１ベルト保持部材２０の位置が規定され、第２保持面３２が対象周面６１に対応するように配置される。
【００３２】
図１（ａ）、図２（ａ）、（ｂ）に示すように、第２腕部３５は、その表面３５ａ（対向面）に垂直にボルト５０を挿通可能な複数のボルト挿通孔３６を備える。ボルト５０は、頂部５１から軸部５２が延びる構成を有し、図１（ｂ）に示すように、第２腕部３５の裏面３５ｂから挿入された軸部５２が表面３５ａから延出する。
【００３３】
連結部材４０は、柔軟性を有する長板状の材料で構成される。連結部材４０の柔軟性は、少なくとも、第１ベルト保持部材２０及び第２ベルト保持部材３０で保持したベルト７０を、対象周面６１へ巻き掛ける際に、対象周面６１に沿って湾曲した状態で配置可能な程度の柔軟性である。好ましくは、ベルト掛着具１０を対象プーリ６０に取り付ける前に、対象周面６１に沿った曲率に変形させると、その形状を維持可能な柔軟性であるとよい。このような柔軟性を有する材料としては、例えば、ステンレス鋼、鉄鋼、真鍮（黄銅）、銅を、弾性的に変形可能な厚みの長板状としたものが挙げられる。
【００３４】
連結部材４０は、長手方向の一方の端部４１が第１ベルト保持部材２０の固定部２３の表面２３ａに固定され、他方の端部４２が第２ベルト保持部材３０の表面３１に固定される。連結部材４０は、第１ベルト保持部材２０及び第２ベルト保持部材３０に対して、それらの幅方向Ｗ１において、ベルト７０が保持される第１保持面２１及び第２保持面３２からずれた位置に配置される。これにより、ベルト掛着具１０を対象周面６１に取り付けたときに、対象周面６１の幅方向Ｗ２において、第１ベルト保持部材２０と第２ベルト保持部材３０のそれぞれの保持面２１、３２は対象周面６１に対応する位置に配置され、かつ、連結部材４０の少なくとも一部は対象周面６１からずれた位置に配置される。これにより、対象周面６１上に第１保持面２１及び第２保持面３２が配置されるため、掛着工程において、ベルト７０が第１保持面２１及び第２保持面３２から対象周面６１上へずれなく転移しやすくなる。
【００３５】
次に、図３〜図８を参照しつつ、対象プーリ６０の対象周面６１に対してベルト７０を巻き掛ける掛着工程について説明する。
図３は、ベルト掛着具１０を用いてベルト７０を巻き掛ける対象プーリ６０の構成を示す斜視図、図４（ａ）は、連結部材４０を対象プーリ６０の対象周面６１に沿った曲率に変形させる前の状態を示す側面図、（ｂ）は連結部材４０を対象プーリ６０の対象周面６１に沿った曲率に変形させた後の状態を示す側面図である。図５（ａ）は、ベルト掛着具１０とベルト７０が離間した状態（ベルト７０を保持させる前の状態）を示す斜視図、（ｂ）はベルト掛着具１０がベルト７０を保持した状態を示す斜視図である。
【００３６】
図６〜図８は、対象周面６１に対するベルト７０の掛着工程を順に示す側面図であって、図６（ａ）は初期の状態を示し、図６（ｂ）は図６（ａ）の状態から、対象プーリ６０の中心軸ＡＸを中心として、ベルト掛着具１０が係止された対象プーリ６０を時計回りに約４５度回転させた状態を示し、図７（ａ）は図６（ｂ）の状態から対象プーリ６０をさらに時計回りに約４５度回転させた状態（図６（ａ）の初期状態から約９０度回転させた状態）を示し、図７（ｂ）は図７（ａ）の状態からさらに対象プーリ６０を時計回りに約９０度回転させた状態（図６（ａ）の初期状態から約１８０度回転させた状態）を示し、図８（ａ）は図７（ｂ）の状態からさらに対象プーリ６０を時計回りに約２０度回転させた状態（図６（ａ）の初期状態から約２００度回転させた状態）を示し、図８（ｂ）は図８（ａ）の状態において、対象周面６１からベルト掛着具１０を離間させた状態を示している。
【００３７】
以下の説明では、図３に示す対象プーリ６０の対象周面６１に対して、ベルト掛着具１０を用いてベルト７０を巻き掛ける場合について説明する。対象プーリ６０は、凹凸を有する円板状をなしており、その幅方向Ｗ２（中心軸ＡＸに沿った方向）において、外側の外周面６３と、この外周面６３よりも小径の対象周面６１と、を有する。外側の外周面６３に対しても、以下の説明と同様の工程によってベルト７０を巻き掛けることができる。
【００３８】
対象プーリ６０は、対象周面６１よりも径方向内側の中央部６５の表面６５ａから、その厚み方向（中心軸ＡＸに平行な方向）に沿って凹設され、又は、貫通した、４つの係止凹部６２を備える。係止凹部６２は、対象プーリ６０の中心軸ＡＸに関して等角度間隔で設けられている。中央部６５の表面６５ａは、対象周面６１にベルト掛着具１０を配置したときに、第２腕部３５が対向する対向面である。
【００３９】
図４（ａ）に示すように、初期状態のベルト掛着具１０は、連結部材４０の湾曲の曲率が大きいため、又は、略湾曲していないため、対象周面６１上に配置しても、第１ベルト保持部材２０及び第２ベルト保持部材３０の少なくとも一方が、対象周面６１から離間した、浮いた状態となる。
【００４０】
これに対して、対象周面６１の曲率に合わせるように連結部材４０を予め湾曲させて対象周面６１上に配置すると、図４（ｂ）に示すように、第１ベルト保持部材２０及び第２ベルト保持部材３０の両方が対象周面６１上に隙間なく配置される。この状態において、第２腕部３５のボルト挿通孔３６にボルト５０を挿通させ、延出した軸部５２を係止凹部６２内へ挿入すると、対象プーリ６０を、その中心軸ＡＸの周りに回転させたときに、軸部５２が係止凹部６２に係止するため、ベルト掛着具１０は対象プーリ６０と一体となって回転する。この回転中においては、第１ベルト保持部材２０及び第２ベルト保持部材３０の両方が対象周面６１上に隙間なく配置されているため、対象プーリ６０に対してベルト掛着具１０ががたつくことなくスムーズに回転することから、対象プーリ６０の損傷を防止できる。
【００４１】
ベルト掛着具１０へのベルト７０の装着は、図５（ａ）に示す装着前の状態から、図５（ｂ）に示す装着状態のように装着される。具体的には、ベルト７０の表面７１が第２ベルト保持部材３０の第２保持面３２に接触し、かつ、裏面７２が第１ベルト保持部材２０の第１保持面２１に接触するように配置される。この配置においては、ベルト７０のベルト掛着具１０側の端面７３を、第１ベルト保持部材２０の段差部２４と、第２ベルト保持部材３０の第２腕部３５の表面３５ａと、に接触させることで幅方向Ｗ１におけるベルト７０の位置が規定される。
【００４２】
図６（ａ）に示すように、ベルト７０は予め別のプーリ８０の外周面８１に巻き掛けてある。このベルト７０に対して、図５（ｂ）に示すようにベルト掛着具１０が装着される。ベルト７０に装着されたベルト掛着具１０は、図６（ａ）に示すように、中心軸ＡＸに沿って見たときに対象プーリ６０の中心軸ＡＸの真上の位置（１２時の位置）において、対象プーリ６０の対象周面６１上に配置される。このとき、プーリ８０側に位置する第２ベルト保持部材３０に保持された部分のベルト７０は対象周面６１に接触している。一方、プーリ８０から遠い位置にある第１ベルト保持部材２０に保持された部分から延出したベルト７０は、対象周面６１にはまだ掛かっていない。
【００４３】
図６（ａ）に示す状態から、対象プーリ６０を、その中心軸ＡＸを中心に回転させると、係止凹部６２にボルト５０が係止されたベルト掛着具１０は、対象プーリ６０とともに回転する。これによって、ベルト掛着具１０の位置が、中心軸ＡＸを中心として時計回りに変化する。図６（ｂ）は、図６（ａ）の状態に対して約４５度回転した状態、図７（ａ）はさらに約４５度回転した状態（３時の位置）、図７（ｂ）はさらに９０度回転した状態（６時の位置）、図８（ａ）はさらに約２０度回転した状態を示している。
【００４４】
図６（ａ）に示す状態から、図６（ｂ）、図７（ａ）、図７（ｂ）のそれぞれに示す状態に順に変化させると、ベルト掛着具１０が位置していた範囲において、対象周面６１上ベルト７０が巻き掛けられ、この範囲におけるベルト７０の巻き掛けが完了する。
【００４５】
そして、図７（ｂ）に示す状態から図８（ａ）に示す状態へ、ベルト掛着具１０を回転移動させていくと、プーリ８０と対象プーリ６０の外径の関係に応じた角度位置から、ベルト７０が第１ベルト保持部材２０の第１保持面２１から離間するようになる。この状態からさらにベルト掛着具１０を回転移動させると、第２ベルト保持部材３０が対象周面６１から離間し、かつ、対象周面６１に対してベルト７０が緊張状態を持って巻き掛けられた状態となる。この状態でベルト掛着具１０は、ベルト７０及び対象プーリ６０から取り外すことが可能となり、対象プーリ６０へのベルト７０の掛着工程が完了する（図８（ｂ））。
【００４６】
以上のように構成されたことから、上記実施形態のベルト掛着具１０によれば、第１ベルト保持部材２０と第２ベルト保持部材３０が連結部材４０によって互いに連結された簡単な構成でありながら、ベルト７０を巻き掛ける対象プーリ６０の対象周面６１の形状、種類、取り付け箇所等が異なっても、ベルト７０を所定の緊張状態で対象周面６１に巻き掛けることができる。したがって、従来のベルト掛着具のように、対象プーリ６０の対象周面６１の形状等に合わせて、新たなベルト掛着具を用意する必要がないため、経済的であるとともに、ベルト掛着具を新たに用意する煩雑さがない。
【００４７】
上記ベルト掛着具１０では、ベルト７０の表面７１を第２ベルト保持部材３０の第２保持面３２に面接触させ、かつ、裏面７２を第１ベルト保持部材２０の第１保持面２１に面接触させた状態で、ベルト７０を保持する。このため、ベルト７０の保持強度を高めることができることから、対象プーリ６０に対するベルト７０の掛着工程においてベルト７０を確実に保持し続けることができる。
【００４８】
第１ベルト保持部材２０に第１腕部２５を設け、第２ベルト保持部材３０に第２腕部３５を設けたことにより、全体としてバランスがとれるため、対象プーリ６０に対するベルト７０の掛着工程においてベルト掛着具１０が傾斜したり、さらには対象周面６１から外れることを防止できる。
本考案について上記実施形態を参照しつつ説明したが、本考案は上記実施形態に限定されるものではなく、改良の目的または本考案の思想の範囲内において改良または変更が可能である。
【符号の説明】
【００４９】
１０    ベルト掛着具
２０    第１ベルト保持部材
２０ａ  端面
２１    第１保持面
２３    固定部
２３ａ  表面
２４    段差部
２５    第１腕部
３０    第２ベルト保持部材
３０ａ  端面
３１    表面
３２    第２保持面
３５    第２腕部
３５ａ  表面
３５ｂ  裏面
３６    ボルト挿通孔
４０    連結部材
４１、４２  端部
４１ａ、４２ａ  ボルト
５０    ボルト
５１    頂部
５２    軸部
６０    対象プーリ
６１    対象周面
６２    係止凹部
６３    外周面
６５    中央部
６５ａ  表面
７０    ベルト
７１    表面
７２    裏面
７３    端面
８０    プーリ
８１    外周面
ＡＸ    中心軸
Ｗ１、Ｗ２  幅方向
【図１】
0003230381.tif 000003
【図２】
0003230381.tif 000004
【図３】
0003230381.tif 000005
【図４】
0003230381.tif 000006
【図５】
0003230381.tif 000007
【図６】
0003230381.tif 000008
【図７】
0003230381.tif 000009
【図８】
0003230381.tif 000010